【手続補正書】
【提出日】平成16年10月29日(2004.10.29)
【手続補正１】
【補正対象書類名】特許請求の範囲
【補正対象項目名】全文
【補正方法】変更
【補正の内容】
【特許請求の範囲】
【請求項１】
直線状経路に沿って出合う第１および第２表面と、前記第１および第２表面に連結される移動手段とを含み、前記第２表面に対して所定経路に沿って前記第１表面を動かすシステムにおいて、
前記第１および第２表面に連結されて前記線形経路の少なくとも一部分に沿って延びる密封手段を含み、前記一部分において前記第１および第２表面間の気体の通過を実質的に防止しており、
前記密封手段は、
Ａ．前記第１および第２表面のうちの片方と連結して流動性非気体物質を保持する保有手段と、
Ｂ．前記第１および第２表面のうち残りのもう一方と連結して、前記第１表面が前記所定経路に沿って動くとき、少なくとも部分的に前記物質中に位置している浸漬装置を含むことを特徴とするシステム。
【請求項２】
直線状経路に沿って出合う第１および第２表面のうち少なくとも一方の大気の質を改善する方法において、
前記第２表面に対して所定経路に沿って前記第１表面を動かし、前記直線経路の少なくとも一部分に沿って前記第１および第２表面のうちの片方上に流動性非気体物質を保持し、前記片方の表面が前記所定の経路に沿って動くとき、前記第１および第２表面のうち残りのもう一方の表面上及び前記物質内に浸漬装置を保持することを特徴とする方法。
【請求項３】
直線状経路に沿って出合う第１および第２表面と、前記第１および第２表面に連結される移動手段とを含み、前記第２表面に対して所定経路に沿って前記第１表面を動かすシステムにおいて、
前記第１および第２表面間の気体の通過を実質的に防止するため、前記第１および第２表面に連結されて前記直線状経路の少なくとも一部分に沿って延びる密封手段を含み、前記密封手段が前記第１および第２表面に連結された柔軟な気体不透過性膜を含むことを特徴とするシステム。
【請求項４】
直線状経路に沿って出合う第１および第２表面のうち少なくとも一方の大気の質を改善する方法において、
前記第２表面に対して所定経路に沿って前記第１表面を動かし、柔軟な気体不透過性膜を前記直線状経路の一部に沿って第１および第２床区域に付着させることを特徴とする方法。
【請求項５】
直線状経路に沿って出合う第１および第２表面と、前記第１および第２表面に連結される移動手段とを含み、前記第２表面に対して所定経路に沿って前記第１表面を動かすシステムにおいて、
前記第１および第２表面に連結されて前記直線状経路の少なくとも一部分に沿って延びる密封手段を含み、前記一部分において前記第１および第２表面間の気体の通過を実質的に防止しており、前記密封手段が、前記第１および第２表面の片方に固定されて、もう一方の表面側に押し付けられる柔軟な気体不透過性の形状保持性物質シートを含むことを特徴とするシステム。
【請求項６】
直線状経路に沿って出合う第１および第２表面のうち少なくとも一方の大気の質を改善する方法において、
前記第２表面に対して所定経路に沿って前記第１表面を動かし、前記直線状経路の少なくとも一部分に沿って柔軟な気体不透過性の形状維持物質シートを前記第１表面および第２表面のどちらか片方に取り付け、前記物質をもう一方の表面に対して押し付けることを特徴とする方法。
【請求項７】
直線状経路に沿って出合う第１および第２表面と、前記第１および第２表面に連結される移動手段とを含み、前記第２表面に対して所定経路に沿って前記第１表面を動かすシステムにおいて、
前記第１および第２表面に連結されて前記直線状経路の少なくとも一部分に沿って延びる密封手段を含み、前記一部分において前記第１および第２表面間の気体の通過を実質的に防止し、前記密封手段が前記第１および第２表面間に配置された圧縮性弾性気体不透過性パッドを含むことを特徴とするシステム。
【請求項８】
直線状経路に沿って出合う第１および第２表面のうち少なくとも一方の大気の質を改善する方法において、
前記第２表面に対して所定経路に沿って前記第１表面を動かし、前記第１および第２表面間の前記直線状経路の少なくとも一部分に沿って圧縮性弾性気体不透過性パッドを配置することを特徴とする方法。
【請求項９】
廃棄物投入口と燃焼生成物排出口とを備えた密閉燃焼室を有し、前記燃焼室は、燃焼中の廃棄物を支える床と、前記床上に位置して前記床と共に周辺を密閉することで前記床と共に密閉された燃焼室を形成する壁面を有する焼却炉において、
（ａ）前記密閉燃焼室外部で前記壁面と前記床とに連結されて前記周辺の少なくとも一部分に沿って延長し、（１）前記密閉された燃焼室の圧力および（２）前記密閉燃焼室外部の圧力より大きい気体圧力を有する容器手段と、
（ｂ）前記容器手段に結合して、（１）燃焼室の圧力と（２）燃焼室外部の圧力より大きい気体圧力を容器手段内部に維持するための密封手段を含むことを特徴とする焼却炉。
【請求項１０】
廃棄物投入口と燃焼生成物排出口とを備えた密閉燃焼室は、燃焼中の廃棄物を支える床と、前記床上に位置して前記床と共に周辺を密閉することで前記床と共に密閉された燃焼室を形成する壁面を有することから成る焼却炉の周りの大気の質を改善する方法において、
前記密閉燃焼室の外部で前記床と前記壁面とに連結されて前記周辺の少なくとも一部分に沿って延長する容器手段の内部気体圧力を、前記周辺の前記一部で（１）前記密閉燃焼室の圧力および（２）前記密閉燃焼室外部の圧力より高いレベルに高め、前記気体圧力を前記レベルに維持することを特徴とする方法。
【請求項１１】
廃棄物投入口と燃焼生成物排出口とを備えた密閉燃焼室を有し、
前記燃焼室は、燃焼中の廃棄物を支える床、および床上に位置して前記床と共に周辺を密閉することで、前記床と共に密閉された燃焼室を形成する壁面から成り、
前記床と前記壁面に連結された移動手段が前記壁面に対して所定経路に沿って前記床を動かす焼却炉において、
前記壁面と前記床に連結された密封手段が前記周辺の少なくとも一部分に沿って延びており、前記床に結合して前記周辺の少なくとも一部に沿って延び、床上の物質が前記周辺の一部に移動できないようにする保護手段をさらに含むことを特徴とする焼却炉。
【請求項１２】
前記床が階段を含み、前記物質は階段に置かれ、前記階段の上面は前記周辺の一部から遠ざかるほど下へ傾くことを特徴とする請求項１１に記載の焼却炉。
【請求項１３】
前記床は前記周辺の一部で垂直区間を含み、前記垂直区間の上端には前記壁面から燃焼室内部に向けて水平に突き出た偏向区間が形成されたことを特徴とする請求項１１に記載の焼却炉。
【請求項１４】
廃棄物投入口と燃焼生成物排出口とを備えた密閉燃焼室を有する焼却炉の周りや内部の大気の質を改善する方法において、
前記燃焼室は、燃焼中の廃棄物を支える床、前記床上に位置して前記床と共に周辺を密閉することで、前記床と共に密閉された燃焼室を形成する壁面から成り、
移動手段が前記壁面に対して所定経路に沿って前記床を動かす焼却炉において、
所定経路に沿って前記床を壁面に対して動かす段階と、
前記床上の物質が前記周辺の一部に移動できないようにする段階を含むことを特徴とする方法。
【請求項１５】
前記床上の物質が前記周辺の一部に移動できないようにする段階は、前記床の一部を形成する階段に前記物質を置き、階段の上面は前記周辺の一部から遠ざかるほど下へ傾くようにして、前記階段の物質を前記周辺の一部反対に動かすようにしてなることを特徴とする請求項１４に記載の方法。
【請求項１６】
前記床上の物質が前記周辺の一部分に移動できないようにする段階は、前記周辺の一部に垂直区間を有する前記床に前記物質を置き、前記垂直区間の上端には前記壁面から前記燃焼室内部に向けて水平に突き出た偏向区間があり、該偏向区間で前記周辺の前記一部分から離れるように前記物質を偏向させることを特徴とする請求項１４に記載の方法。